(57)【要約】      （修正有）【課題】ハウジングの強度が高く、堅固になるコネクタを提供する。【解決手段】コネクタ１００は、絶縁本体１０と、補助本体２０と、複数の端子３０と、ハウジング４０と、補助用ハウジング５０とを備える。絶縁本体１０は台座１１を有し、台座１１の前端には横方向にタング部１２が凸起される。複数の端子３０は絶縁本体１０内に一体成形される。ハウジング４０は絶縁本体１０の台座１１及びタング部１２の外を被覆させ、ハウジング４０は頂板４１１と、底板４２と、２枚の側板４３とを有し、頂板４１１、底板４２及び２枚の側板４３は絶縁本体１０のタング部１２と共に水平の挿設空間を包囲させ、底板４２の中部は前端縁から後に向けて退却溝４２１が開設される。補助用ハウジング５０は基部５１及び基部５１の二側からそれぞれ外に向けて湾曲され延出されて形成される翼部５２を有し、基部５１は翼部５２に対して下に向けて陥没され、翼部５２は退却溝４２１の二側の底板４２の下表面に装設されて固定され、基部５１は退却溝４２１の下方箇所に設置される。【選択図】図２
0003204252.tif 000002
【実用新案登録請求の範囲】
【請求項１】
台座を有し、前記台座の前端には横方向に突出され、タング部が形成されるように延出される絶縁本体と、
絶縁本体内に一体成形される複数の端子と、
絶縁本体の台座及びタング部の外側を被覆させ、且つ頂板と、底板と、２枚の側板とを有し、前記頂板、底板及び２枚の側板により絶縁本体のタング部と共に水平の挿設空間を包囲させ、底板の中部は前端縁から後に向けて退却溝が開設されるハウジングと、
基部及び基部の二側からそれぞれ外に向けて湾曲されて延出されて形成される翼部を有し、基部は翼部に対して下に向けて陥没され、翼部は退却溝の二側の底板の下表面に装設されて固定され、基部は退却溝の下方箇所に設置される補助用ハウジングとを備えることを特徴とするコネクタ。
【請求項２】
前記コネクタは補助ベースを有する補助本体を更に備え、補助ベースの前端には横方向に突出され、タングプレート部が形成するように延出され、補助ベースは台座内に一体成形され、タングプレート部はタング部の下部に一体成形されることを特徴とする、請求項１に記載のコネクタ。
【請求項３】
前記台座の上表面の中部にはバンプが凸設され、台座の二側の下端箇所及び下表面には外に向けて突出され、凸部が形成され、台座の上表面はバンプの前後に少なくとも１つの凹部がそれぞれ開設され、頂板の後端には開口溝が開設され、開口溝の二側の内壁には内側に下に向けて湾曲されて延出されるフック部が形成され、頂板の後端縁には下に向けて少なくとも１つの係合部が形成されるようにパンチされ、２枚の側板の後端にはそれぞれ内に向けて湾曲されて延出され、拘止部が形成され、係合部はバンプの前方の凹部内に係合され、フック部はバンプの後方の凹部の溝壁上に掛着され、拘止部は台座の後表面に拘止され、ハウジングの上表面はバンプの上表面と平坦になることを特徴とする、請求項２に記載のコネクタ。
【請求項４】
前記補助ベースの後端の二側にはそれぞれ下に向けて湾曲されて延出されたのちに後に向けて湾曲されて延出され、溶接ピンが形成され、溶接ピンの一部は台座内に一体成形され、溶接ピンの一部は台座の後表面から延出されると共に凸部の下表面から延出されることを特徴とする、請求項３に記載のコネクタ。
【請求項５】
前記各端子は長形状の固持部と、固持部の前端から前に向けて延出されて形成される接触部と、接触部の末端から前に向けて下に向けて湾曲されて延出されて形成される曲げ部と、固持部の後端から下に向けて湾曲されて延出されたのちに後に向けて湾曲されて延出されて形成される溶接部とを有し、固持部及び一部の溶接部は台座内に一体成形され、接触部はタング部に一体成形されると共にタング部の上表面に延出され、溶接部の後端は台座の後表面から延出されると共に溶接部の下表面は凸部の下表面から延出されることを特徴とする、請求項４に記載のコネクタ。
【請求項６】
前記はハウジングの外を被覆させる外ケースを更に備え、外ケースは平板状の頂基板と、頂基板の後端から下に向けて湾曲されて延出されて形成される後部基板と、頂基板の二側からそれぞれ下に向けて湾曲されて延出されて形成される２つの側部基板とを有し、頂基板には上から下に向けてパンチされ、少なくとも１つの係合用凸部が形成され、２つの側部基板には少なくとも１つの係合溝がそれぞれ開設され、頂板上には少なくとも１つの固持溝が開設され、２枚の側板にはそれぞれ外に向けてパンチされ、少なくとも１つの係合部が形成され、係合用凸部は頂板の固持溝内に係合され、係合部は係合溝内に係合され、これにより外ケースがハウジングを被覆させて固定されることを特徴とする、請求項４に記載のコネクタ。
【考案の詳細な説明】
【技術分野】
【０００１】
本考案は、コネクタに関する。
【背景技術】
【０００２】
従来のユニバーサルシリアルバスコネクタは絶縁本体と、複数の導電端子と、外ケースとを備える。絶縁本体は真っ直ぐな基板を有し、基板の前表面には横方向に前に向けてタング板が突出され、タング板の底面には後に向けて基板を貫通させる複数の端子溝が開設される。複数の導電端子が端子溝内に装設され、外ケースにより絶縁本体が被覆され、外ケース及び絶縁本体のタング板により水平の挿設空間が包囲され、接続プラグが挿設空間内に挿入される。
【考案の概要】
【考案が解決しようとする課題】
【０００３】
しかしながら、前述した従来の技術では、即ち、上述のユニバーサルシリアルバスコネクタには体積が小さくなる程に薄くなるという特徴があり、コネクタの強度が低下した。接続プラグを挿設空間に繰り返し插入させる場合、製品の強度を確保し、コネクタをより堅固にするためには、外ケースの強度を増強させる必要があった。
【０００４】
そこで、本考案者は上記の欠点が改善可能と考え、鋭意検討を重ねた結果、合理的な設計で上記の課題を効果的に改善する本考案の提案に到った。
【０００５】
本考案は、このような従来の問題に鑑みてなされたものである。上記課題解決のため、本考案は、コネクタを提供することを主目的とする。つまり、前記コネクタの外ケースを強化させる設計により製品の強度を確保し、前記コネクタをより堅固にする。
【課題を解決するための手段】
【０００６】
上述した課題を解決し、上記目的を達成するための本考案は、台座を有し、前記台座の前端には横方向に突出され、タング部が形成されるように延出される絶縁本体と、絶縁本体内に一体成形される複数の端子と、絶縁本体の台座及びタング部の外側を被覆させ、且つ頂板と、底板と、２枚の側板とを有し、前記頂板、底板及び２枚の側板により絶縁本体のタング部と共に水平の挿設空間を包囲させ、底板の中部は前端縁から後に向けて退却溝が開設されるハウジングと、
基部及び基部の二側からそれぞれ外に向けて湾曲されて延出されて形成される翼部を有し、基部は翼部に対して下に向けて陥没され、翼部は退却溝の二側の底板の下表面に装設されて固定され、基部は退却溝の下方箇所に設置される補助用ハウジングとを備えることを特徴とする。
【考案の効果】
【０００７】
本考案のコネクタによれば、翼部が退却溝の二側の底板の下表面に装設されて固定され、基部が退却溝の下方箇所に設置されることで、補助用ハウジングがハウジングに装設されて固定され、これによりハウジングの強度が増強され、前記コネクタがより堅固になる。
【図面の簡単な説明】
【０００８】
【図１】本考案の好ましい実施形態に係るコネクタを示す外観斜視図である。
【図２】図１に示す実施形態のコネクタを示す展開図である。
【図３】図１に示す実施形態のコネクタを示す展開図である。
【図４】図１に示す実施形態のコネクタを他の角度から見た一部の展開図である。
【図５】図１に示す実施形態のコネクタを他の角度から見た一部の展開図である。
【考案を実施するための形態】
【０００９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
実施形態
【００１０】
本考案の第１実施形態の構成を図１から図５に示す。まず、本考案のコネクタ１００は、絶縁本体１０と、補助本体２０と、複数の端子３０と、ハウジング４０と、補助用ハウジング５０とを備える（図１参照）。
【００１１】
図１乃至図５に示すように、前記絶縁本体１０は台座１１を有し、台座１１の前端には前に向けて横方向に突出され、タング部１２が形成される。台座１１の上表面の中部にはバンプ１３が凸設され、台座１１の二側の下端箇所及び下表面には外に向けて突出され、凸部１４が形成され、凸部１４の前表面には後に向けて収容溝１４１が開設され、台座１１の上表面はバンプ１３の前後に少なくとも１つの凹部１１１がそれぞれ開設される。
【００１２】
前記補助本体２０は台座１１内に一体成形される補助ベース２１を有し、補助ベース２１の前端は横方向にタングプレート部２２が突出され、補助ベース２１の後端の二側にはそれぞれ下に向けて湾曲されて延出された後に後に向けて湾曲されて延出される溶接ピン２３が形成され、タングプレート部２２はタング部１２の下部に一体成形され、溶接ピン２３は一部が台座１１内に一体成形され、溶接ピン２３は一部が台座１１の後表面に延出されると共に凸部１４の下表面に延出される。
【００１３】
また、前記複数の端子３０は絶縁本体１０内に一体成形される。具体的には、各端子３０は長形状の固持部３１と、固持部３１の前端から前に向けて延出されて形成される接触部３２と、接触部３２の末端から前に向けて下に向けて湾曲されて延出されて形成される曲げ部３３と、固持部３１の後端から下に向けて湾曲されて延出された後に後に向けて湾曲されて延出されて形成される溶接部３４とを有する。固持部３１及び一部の溶接部３４は台座１１内に一体成形され、接触部３２はタング部１２に一体成形されると共にタング部１２の上表面に延出される。溶接部３４の後端は台座１１の後表面に延出され、且つ溶接部３４の下表面は凸部１４の下表面に延出される。
【００１４】
なお、前記ハウジング４０は絶縁本体１０の台座１１及びタング部１２の外側を被覆させる。ハウジング４０は頂板４１と、底板４２と、２枚の側板４３とを有し、前記頂板４１、底板４２及び２枚の側板４３は絶縁本体１０のタング部１２と共に水平の挿設空間４４を包囲させ、底板４２の中部には前端縁から後に向けて退却溝４２１が開設される。具体的には、頂板４１の後端には開口溝４１１が開設され、開口溝４１１の二側の内壁には内側に下に向けて湾曲されて延出されるフック部４１２が形成され、頂板４１の後端縁には下に向けてパンチされ、少なくとも１つの係合部４１３が形成され、頂板４１には少なくとも１つの固持溝４１４が開設され、２枚の側板４３の後端にはそれぞれ内に向けて湾曲されて延出される拘止部４３１が形成され、２枚の側板４３にはそれぞれ外に向けてパンチされ、少なくとも１つの係合部４３２が形成される。
【００１５】
前記補助用ハウジング５０は基部５１及び基部５１の二側からそれぞれ外に向けて湾曲されて延出されて形成される翼部５２を有し、基部５１は翼部５２に対して下に向けて陥没され、翼部５２は退却溝４２１の二側の底板４２の下表面に装設されて固定され、基部５１は退却溝４２１の下方箇所に設置される。
【００１６】
続いて、前記コネクタ１００はハウジング４０の外側を被覆させる外ケース６０を更に備え、外ケース６０は平板状の頂基板６１と、頂基板６１の後端から下に向けて湾曲されて延出されて形成される後部基板６２と、頂基板６１の二側からそれぞれ下に向けて湾曲されて延出されて形成される２つの側部基板６３とを有する。頂基板６１には上下に向けてパンチされ、少なくとも１つの係合用凸部６１１が形成され、２つの側部基板６３には少なくとも１つの係合溝６３１がそれぞれ開設され、頂基板６１はハウジング４０の頂板４１を被覆させ、係合用凸部６１１は頂板４１の固持溝４１４内に係合され、係合部４３２は係合溝６３１内に係合され、これにより外ケース６０がハウジング４０を被覆させて固定される。外ケース６０はコネクタ１００をＰＣＢ板に溶接させるために使用される。
【００１７】
以下、本考案のコネクタ１００の組み合わせについて図１乃至図５を参照しながら、説明する。本考案のコネクタ１００の装設では、先ず、補助本体２０及び複数の端子３０が絶縁本体１０内に一体成形され、その後、ハウジング４０により絶縁本体１０の外側が被覆される。具体的には、ハウジング４０の底板４２の後端が収容溝１４１内に設置され、係合部４１３がバンプ１３の前方の凹部１１１内に係合され、フック部４１２がバンプ１３の後方の凹部１１１の溝壁に掛着され、拘止部４３１が台座１１の後表面に拘止され、ハウジング４０の上表面がバンプ１３の上表面と平坦になる。続いて、補助用ハウジング５０がハウジング４０に装設されて固定される。具体的には、翼部５２が退却溝４２１の二側の底板４２の下表面に装設されて固定され、基部５１が退却溝４２１の下方箇所に設置される。最後に、外ケース６０によりハウジング４０の外側が被覆され、係合用凸部６１１が頂板4１の固持溝４１４内に係合され、係合部４３２が係合溝６３１内に係合され、これにより外ケース６０がハウジング４０を被覆させて固定される。
【００１８】
上述したように、本考案に係るコネクタ１００は補助用ハウジング５０が基部５１及び基部５１の二側からそれぞれ外に向けて湾曲され延出されて形成される翼部５２を有し、翼部５２が退却溝４２１の二側の底板４２の下表面に装設されて固定され、基部５１が退却溝４２１の下方箇所に設置されることで補助用ハウジング５０がハウジング４０に装設されて固定され、これによりハウジング４０の強度が増強され、前記コネクタ１００がより堅固になる。
【００１９】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、後述の請求項に含まれるものとする。
【符号の説明】
【００２０】
１００  コネクタ
１０  絶縁本体
１１  台座
１１１  凹部
１２  タング部
１３  バンプ
１４  凸部
１４１  収容溝
２０  補助本体
２１  補助ベース
２２  タングプレート部
２３  溶接ピン
３０  端子
３１  固持部
３２  接触部
３３  曲げ部
３４  溶接部
４０  ハウジング
４１１  頂板
４１１  開口溝
４１２  フック部
４１３  係合部
４１４  固持溝
４２  底板
４２１  退却溝
４３  側板
４３１  拘止部
４３２  係合部
５０  補助用ハウジング
５１  基部
５２  翼部
６０  外ケース
６１  基板
６１１  係合用凸部
６２  後部基板
６３  側部基板
６３１  係合溝
【図１】
0003204252.tif 000003
【図２】
0003204252.tif 000004
【図３】
0003204252.tif 000005
【図４】
0003204252.tif 000006
【図５】
0003204252.tif 000007